(57)【要約】【課題】  ユーザの使い勝手を向上させること。【解決手段】  車両に搭載される本体１０Ａに、ユーザに表示面１１Ａ、１２Ａが対向するように並べて配置される複数のディスプレイパネル１１、１２を備え、これら複数のディスプレイパネル１１、１２により、一つの画像を分割して表示可能に構成し、画像を分割表示しているディスプレイパネル１１、１２のうち、いずれかのディスプレイパネルを画像を非表示状態にする非表示操作がなされた場合に、残りのディスプレイパネルで画像を縮小して表示させる。【選択図】      図１
2006133647.tif 000002
【特許請求の範囲】
【請求項１】
車両に搭載される本体に、ユーザに表示面が対向するように並べて配置される複数のディスプレイパネルを備え、これら複数のディスプレイパネルにより、一つの画像を分割して表示可能に構成し、
前記画像を分割表示している少なくとも二以上のディスプレイパネルのうち、いずれかのディスプレイパネルを前記画像を非表示状態にする非表示操作がなされた場合に、残りのディスプレイパネルで前記画像を縮小して表示させる表示制御手段を備えたことを特徴とする車載情報装置。
【請求項２】
前記複数のディスプレイパネルが、前記本体内に収納自在に構成され、
前記表示制御手段は、
前記本体内に収納するように指示がなされたディスプレイパネルを、前記非表示操作がなされたディスプレイパネルとみなすことを特徴とする請求項１に記載の車載情報装置。
【請求項３】
前記表示制御手段は、
電源オフの指示、画面非表示の指示或いは他画面表示の指示がなされたディスプレイパネルを、前記非表示操作がなされたディスプレイパネルとみなすことを特徴とする請求項１に記載の車載情報装置。
【請求項４】
前記残りのディスプレイパネルは、隣接して配置されていることを特徴とする請求項１乃至請求項３のいずれか一項に記載の車載情報装置。
【請求項５】
前記複数のディスプレイパネルの内、いずれか一つのディスプレイパネルの角度がユーザにより変更された場合、この変更量に応じて他のディスプレイパネルの角度を調整することを特徴とする請求項１乃至請求項４のいずれか一項に記載の車載情報装置。
【請求項６】
前記複数のディスプレイパネルの内、いずれか一つのディスプレイパネルの角度がユーザにより変更された場合、この変更量に応じて他のディスプレイパネルの角度を調整すると共に、各ディスプレイパネルの表示面が略同一平面上に配置されるように各ディスプレイパネルの相対的位置を調整することを特徴とする請求項１乃至請求項４のいずれか一項に記載の車載情報装置。
【請求項７】
車両に搭載される本体に、ユーザに表示面が対向するように並べて配置される複数のディスプレイパネルを備え、これら複数のディスプレイパネルにより、一つの画像を分割して表示可能に構成した車載情報装置の制御方法において、
前記画像を分割表示している少なくとも二以上のディスプレイパネルのうち、いずれかのディスプレイパネルを前記画像を非表示状態にする非表示操作がなされたか否かを判断する判断過程と、
前記非表示操作がなされた場合に、残りのディスプレイパネルで前記画像を縮小して表示させる表示制御過程と、を備えたことを特徴とする車載情報装置の制御方法。
【請求項８】
車両に搭載される本体に、ユーザに表示面が対向するように並べて配置される複数のディスプレイパネルを備え、これら複数のディスプレイパネルにより、一つの画像を分割して表示可能に構成した車載情報装置を、コンピュータにより制御するための制御プログラムであって、
前記画像を分割表示している少なくとも二以上のディスプレイパネルのうち、いずれかのディスプレイパネルを前記画像を非表示状態にする非表示操作がなされたか否かを判断させ、前記非表示操作がなされた場合に、残りのディスプレイパネルで前記画像を縮小して表示させることを特徴とする制御プログラム。
【請求項９】
請求項８に記載の制御プログラムを記録したことを特徴とするコンピュータ読取可能な記録媒体。
【発明の詳細な説明】
【技術分野】
【０００１】
本発明は、複数のディスプレイパネルを備えた車載用の車載情報装置の技術に関するものである。
【背景技術】
【０００２】
従来より、非使用時に車両のダッシュボード内に設置された本体内に水平状態で収納させ、使用時にディスプレイパネルを水平にせり出させ、回動させてユーザに表示画面を対向させるカーナビゲーション装置などの車載情報装置が知られている（たとえば、特許文献１参照）。
【０００３】
この種の車載情報装置では、通常、一つのディスプレイパネルを備えるものであり、この一つのディスプレイパネルに地図や文字などの各種情報を同時に表示させている。
【特許文献１】特開２０００−３０９２４７号公報
【発明の開示】
【発明が解決しようとする課題】
【０００４】
しかしながら、一つのディスプレイパネルでは、表示できる画像サイズに限界があるため、地図や文字等の表示が小さくなり、運転手等のユーザにとって見づらいものとなってしまうことがある。
【０００５】
この問題を解決するために、一つのディスプレイパネルを大きくしてしまうと、大画面表示は可能であるが、非使用時にディスプレイパネルを車載情報装置の本体内に収納できなくなってしまうため、複数のディスプレイパネルを収納自在に備え、一つの画像を複数のディスプレイパネルに分割して表示させるものが考えられる。
【０００６】
ところが、常に全ディスプレイパネルを用いて一つの画像を表示させるようにすると、返って画像が見づらくなってしまう場合や、狭い車内においてディスプレイパネルが邪魔になってしまう場合がある。
【０００７】
そこで、本発明の目的は、上述した従来の技術が有する課題を解消し、ユーザにとって表示画像が見易くなると共に、使い勝手が向上する車載情報装置、この車載情報装置の制御方法、車載情報装置の制御プログラム、及びこの制御プログラムを記録した記録媒体を提供することにある。
【課題を解決するための手段】
【０００８】
上記課題を解決するために、本発明は、車載情報装置において、車両に搭載される本体に、ユーザに表示面が対向するように並べて配置される複数のディスプレイパネルを備え、これら複数のディスプレイパネルにより、一つの画像を分割して表示可能に構成し、前記画像を分割表示している少なくとも二以上のディスプレイパネルのうち、いずれかのディスプレイパネルを前記画像を非表示状態にする非表示操作がなされた場合に、残りのディスプレイパネルで前記画像を縮小して表示させる表示制御手段を備えたことを特徴とするものである。
【０００９】
また、前記車載情報装置において、前記複数のディスプレイパネルが、前記本体内に収納自在に構成され、前記表示制御手段は、前記本体内に収納するように指示がなされたディスプレイパネルを、前記非表示操作がなされたディスプレイパネルとみなすようにしてもよい。
【００１０】
また、前記車載情報装置において、前記表示制御手段は、電源オフの指示、画面非表示の指示或いは他画面表示の指示がなされたディスプレイパネルを、前記非表示操作がなされたディスプレイパネルとみなすようにしてもよい。
【００１１】
また、前記車載情報装置において、前記残りのディスプレイパネルは、隣接して配置されていてもよい。
【００１２】
また、前記車載情報装置において、前記複数のディスプレイパネルの内、いずれか一つのディスプレイパネルの角度がユーザにより変更された場合、この変更量に応じて他のディスプレイパネルの角度を調整するようにしてもよい。
【００１３】
また、前記車載情報装置において、前記複数のディスプレイパネルの内、いずれか一つのディスプレイパネルの角度がユーザにより変更された場合、この変更量に応じて他のディスプレイパネルの角度を調整すると共に、各ディスプレイパネルの表示面が略同一平面上に配置されるように各ディスプレイパネルの相対的位置を調整するようにしてもよい。
【００１４】
また、車両に搭載される本体に、ユーザに表示面が対向するように並べて配置される複数のディスプレイパネルを備え、これら複数のディスプレイパネルにより、一つの画像を分割して表示可能に構成した車載情報装置の制御方法において、前記画像を分割表示している少なくとも二以上のディスプレイパネルのうち、いずれかのディスプレイパネルを前記画像を非表示状態にする非表示操作がなされたか否かを判断する判断過程と、前記非表示操作がなされた場合に、残りのディスプレイパネルで前記画像を縮小して表示させる表示制御過程と、を備えたことを特徴とするものである。
【００１５】
また、車両に搭載される本体に、ユーザに表示面が対向するように並べて配置される複数のディスプレイパネルを備え、これら複数のディスプレイパネルにより、一つの画像を分割して表示可能に構成した車載情報装置を、コンピュータにより制御するための制御プログラムであって、前記画像を分割表示している少なくとも二以上のディスプレイパネルのうち、いずれかのディスプレイパネルを前記画像を非表示状態にする非表示操作がなされたか否かを判断させ、前記非表示操作がなされた場合に、残りのディスプレイパネルで前記画像を縮小して表示させることを特徴とするものである。
また、前記制御プログラムをコンピュータ読取可能な記録媒体に記録してもよい。
【発明の効果】
【００１６】
本発明によれば、２以上のディスプレイパネルに一体的に表示されている画像が大きすぎる場合に、ユーザの操作により表示画像を縮小できるので、ユーザにとって表示画像が見易くなると共に、使い勝手が向上する。
【発明を実施するための最良の形態】
【００１７】
以下、本発明の実施形態について図面を参照して説明する。図１は、本実施形態に係る車載情報装置としてのマルチディスプレイ車載情報装置１０の外観斜視図である。
図１に示すように、マルチディスプレイ車載情報装置１０は、不図示の車両のダッシュボードパネル内にその本体１０Ａが収納される。
【００１８】
この本体１０Ａには、当該本体１０Ａの前面に配置される複数（本実施形態では二つ）の第１、第２ディスプレイパネル（第１ＬＣＤパネル及び第２ＬＣＤパネル）１１、１２が備えられており、これらＬＣＤパネル１１、１２の表示面１１Ａ、１２Ａが、座席に座っている搭乗者であるユーザに対向するように上下に並べて隣接配置される。
【００１９】
これら第１及び第２ＬＣＤパネル１１、１２は、本体１０Ａ内に収納自在に構成されている。つまり、二つのＬＣＤパネル１１、１２は、いずれか一方を本体１０Ａ内に収納したり、二つとも収納することができる。これら第１及び第２ＬＣＤパネル１１、１２は、液晶ディスプレイを備えて構成されており、その表示面１１Ａ、１２Ａには、後述する操作部の一部を構成するタッチパネルが設けられている。
【００２０】
第１ＬＣＤパネル１１には、当該第１ＬＣＤパネル１１を本体１０Ａ内に収納或いは引き出す指示操作を行うためのオープン／クローズキー１３１が設けられており、第２ＬＣＤパネル１２には、当該第２ＬＣＤパネル１２を本体１０Ａ内に収納或いは引き出す指示操作を行うためのオープン／クローズキー１３２が設けられている。
【００２１】
また、第１ＬＣＤパネル１１には、当該第１ＬＣＤパネル１１への電源供給をオンオフさせる指示操作を行うための電源オン／オフキー１３３が設けられており、第２ＬＣＤパネル１２には、当該第２ＬＣＤパネル１２への電源供給をオンオフさせる指示操作を行うための電源オン／オフキー１３４が設けられている。つまり、ＬＣＤパネル１１、１２へ電源が供給されている状態で電源オン／オフキー１３３、１３４が操作された場合、ＬＣＤパネル１１、１２への電源供給が遮断され、非表示状態となる。次に、ＬＣＤパネル１１、１２への電源の供給が遮断されている状態で電源オン／オフキー１３３、１３４が操作された場合、ＬＣＤパネル１１、１２へ電源が供給される。
【００２２】
また、本体１０Ａの前面には、第１及び第２ＬＣＤパネル１１、１２の姿勢を調整するためのＴＩＬＴ操作キー１３５が設けられている。
【００２３】
図２は、図１に示す第１及び第２ＬＣＤパネル１１、１２を本体１０Ａ内に収納した場合の概観斜視図である。
この本体１０Ａの前面には、音楽ソースの再生時間の表示など、簡易的な表示を行う簡易表示用ＬＣＤ１４が設けられており、この簡易表示用ＬＣＤ１４は、第１及び第２ＬＣＤパネル１１、１２が本体１０Ａ内に収納されているときに目視可能となる。各ＬＣＤパネル１１、１２は、本体１０Ａ内において上下に平行して水平に収納配置されている。
【００２４】
図３は、ＬＣＤパネル１１、１２が開く開動作を説明するためのマルチディスプレイ車載情報装置１０の側面図であり、図４は、ＬＣＤパネル１１、１２が閉じる閉動作を説明するためのマルチディスプレイ車載情報装置１０の側面図である。なお、第２ＬＣＤパネル１２の動作も第１ＬＣＤパネル１１の動作と略同様であるので、同様の部分は説明を省略する。
【００２５】
図３において、実線で示す第１ＬＣＤパネル１１は、表示面１１Ａをユーザ側に対向させた開状態を示している。この開状態の第１ＬＣＤパネル１１は、当該第１ＬＣＤパネル１１に設けられたオープン／クローズキー１３１が操作された場合、第１ＬＣＤパネル１１の下端に設けた回動軸を中心に回動して、破線で図示した水平姿勢となる。次に、図４に示すように、水平姿勢の第１ＬＣＤパネル１１は、本体１０Ａ内に水平方向に水平状態で引き込まれ、破線で示すように収納され、閉状態となる。なお、第１ＬＣＤパネル１１が開状態のときにオープン／クローズキー１３１が操作された場合、第１ＬＣＤパネル１１の電源はオフされ、非表示状態となる。
【００２６】
一方、図４の破線で示す閉状態の第１ＬＣＤパネル１１は、当該第１ＬＣＤパネル１１に設けられたオープン／クローズキー１３１が操作された場合、実線で示すように、本体内から水平方向に水平状態で引き出される。次いで、この水平姿勢をとった第１ＬＣＤパネル１１は、第１ＬＣＤパネル１１の下端に設けた回動軸を中心に回動して開状態となる。これら第１ＬＣＤパネル１１及び第２ＬＣＤパネル１２は、それぞれ独立して開閉操作が可能である。
【００２７】
図５は、マルチディスプレイ車載情報装置１０の構成を示すブロック図である。
マルチディスプレイ車載情報装置１０は、第１及び第２グラフィックＩＣ２１、２２と、ＴＶ放送受信装置２３と、ＤＶＤビデオ再生装置２４と、当該マルチディスプレイ車載情報装置１０全体を制御するマイクロコンピュータ２５とを備えている。
【００２８】
第１グラフィックＩＣ２１は、第１ＬＣＤパネル１１及び第２ＬＣＤパネル１２の少なくとも一方に表示するナビゲーション画像（地図等）など画像信号を第１スイッチ部２６に出力すると共に、この画像信号を第２スイッチ部２７に出力する。
【００２９】
同様に、第２グラフィックＩＣ２２は、第１ＬＣＤパネル１１及び第２ＬＣＤパネル１２の少なくとも一方に表示するナビゲーション画像（地図等）など画像信号を第１スイッチ部２６に出力すると共に、この画像信号を第２スイッチ部２７に出力する。
【００３０】
ＴＶ放送受信装置２３は、ＴＶ放送を受信し、この受信した映像信号を第１スイッチ部２６に出力すると共に、映像信号を第２スイッチ部２７に出力する。
【００３１】
ＤＶＤビデオ再生装置２４は、ＤＶＤより読み出した映像信号を第１スイッチ部２６に出力すると共に、映像信号を第２スイッチ部２７に出力する。
【００３２】
第１スイッチ部２６は、マイクロコンピュータ２５の制御の下、第１グラフィックＩＣ２１、第２グラフィックＩＣ２２、ＴＶ放送受信装置２３及びＤＶＤビデオ再生装置２４のうち、いずれか一つを選択し、その装置から入力した信号を、第１ＬＣＤパネル１１に出力する。同様に、第２スイッチ部２７は、マイクロコンピュータ２５の制御の下、第１グラフィックＩＣ２１、第２グラフィックＩＣ２２、ＴＶ放送受信装置２３及びＤＶＤビデオ再生装置２４のうち、いずれか一つを選択し、その装置から入力した信号を、第２ＬＣＤパネル１２に出力する。
【００３３】
つまり、各ＬＣＤパネル１１、１２は、各々独立した画像（映像も含む）が表示可能であり、また、二つのＬＣＤパネル１１、１２で一つの画像（映像を含む）を分割して表示することが可能である。
【００３４】
マイクロコンピュータ２５は、制御プログラムおよび制御データをあらかじめ記憶しているＲＯＭ２５Ｂと、各種データを一次的に格納するＲＡＭ２５Ｃと、ＲＯＭ２５Ｂに格納された制御プログラムに基づいて各ＬＣＤパネル１１、１２の駆動制御および表示制御を行うＣＰＵ２５Ａとを備えている。
【００３５】
また、マルチディスプレイ車載情報装置１０は、ユーザが各種操作を行う操作部１３と、マイクロコンピュータ２５の制御の下、第１ＬＣＤパネル１１を水平駆動あるいは回動駆動する第１駆動部３１と、マイクロコンピュータ２５の制御の下、第２ＬＣＤパネル１２を水平駆動あるいは回動駆動する第２駆動部３２とを備えている。この操作部１３は、上述したオープン／クローズキー１３１、１３２、電源オン／オフキー１３３、１３４、ＴＩＬＴ操作キー１３５及び各ＬＣＤパネル１１、１２の不図示のタッチパネルや不図示の各種操作キー等を備えている。
【００３６】
また、マルチディスプレイ車載情報装置１０は、簡易表示用ＬＣＤ１４の制御を行う簡易表示用ＬＣＤコントローラ３３を備え、この簡易表示用ＬＣＤコントローラ３３は、第１ＬＣＤ１１パネル及び第２ＬＣＤパネル１２を本体１０Ａ内に収納する操作がなされた場合（つまり、ＬＣＤパネル１１、１２が本体１０Ａ内に収納されている場合）、簡易表示用ＬＣＤ１４に、現在動作中のモードや現在再生している曲名、楽曲再生時間、文字放送等の各種文字情報といった簡易的な表示をさせる。
【００３７】
さて、本実施形態では、二つのＬＣＤパネル１１、１２に、一つの画像を分割して表示することが可能である。つまり、マイクロコンピュータ２５の制御の下、各スイッチ部２６、２７が同一の装置を選択した場合、例えば、各スイッチ部１１、１２が第１グラフィックＩＣ２１を選択した場合、各ＬＣＤパネル１１、１２には、第１グラフィックＩＣ２１により出力された画像信号に対応する一つの画像（例えば、地図）が、図６（ａ）に示すように、分割されて表示される。ところで、このように二つのＬＣＤパネル１１、１２が開いている状態では、ユーザにとって邪魔であったり、画像が見づらかったりする場合がある。
【００３８】
図７は、二つのＬＣＤパネル１１、１２で一つの画像を表示している場合に、画像を縮小して表示させるためのマイクロコンピュータ２５による処理動作を示す処理フローチャートである。
【００３９】
まず、マイクロコンピュータ２５は、第１ＬＣＤパネル１１が収納されたか否かを判断する（ステップＳ１）。つまり、第１ＬＣＤパネル１１に設けたオープン／クローズキー１３１が操作されたか否かを判断する。第１ＬＣＤパネル１１が収納されていない場合（ステップＳ１；Ｎｏ）、つまり、オープン／クローズキー１３１が操作されていない場合、マイクロコンピュータ２５は、第２ＬＣＤパネル１２が収納されたか否かを判断する（ステップＳ２）。つまり、第２ＬＣＤパネル１２に設けたオープン／クローズキー１３２が操作されたか否かを判断する。
【００４０】
第２ＬＣＤパネル１２が収納されていない場合（ステップＳ２；Ｎｏ）、つまり、オープン／クローズキー１３２が操作されていない場合、マイクロコンピュータ２５は、分割表示を継続するように各スイッチ部２６、２７を制御する（ステップＳ３）。
【００４１】
第１ＬＣＤパネル１１が収納された場合（ステップＳ１；Ｙｅｓ）、つまり、オープン／クローズキー１３１が操作された場合、マイクロコンピュータ２５は、第１ＬＣＤパネル１１を非表示状態にする非表示操作がなされたものとみなし、各ＬＣＤパネル１１、１２に分割表示一つの画像を、図６（ｂ）の如く、残りの第２ＬＣＤパネル１２に画像の縮尺（或いは表示範囲）を縮小して表示させる制御を行う（ステップＳ４）。
【００４２】
また、第２ＬＣＤパネル１２が収納された場合（ステップＳ２；Ｙｅｓ）、つまり、オープン／クローズキー１３２が操作された場合、マイクロコンピュータ２５は、第１ＬＣＤパネル１１を非表示状態にする非表示操作がなされたものとみなし、各ＬＣＤパネル１１、１２に分割表示一つの画像を、図６（ｂ）の如く、残りの第１ＬＣＤパネル１１に画像の縮尺（或いは表示範囲）を縮小して表示させる制御を行う（ステップＳ５）。
【００４３】
つまり、二つのＬＣＤパネル１１、１２のうち、いずれかのＬＣＤパネル１１（又は１２）を収納する操作がなされた場合、残りのＬＣＤパネル１２（又は１１）に画像の縮尺が縮小されて表示されるので、ＬＣＤパネル１１（又は１２）を収納した分、スペースが空き、ＬＣＤパネル１１（又は１２）が邪魔になるのを解消することができる。また、大画面で見づらい場合には、残りのＬＣＤパネル１２（又は１１）に画像の縮尺（或いは表示範囲）が縮小されて表示されるので、小画面で見ることができ、ユーザにとって表示画像が見易くなり、また、ユーザは、自由に大画面から小画面に変更できるので、使い勝手が向上する。
【００４４】
ここで、いずれかのＬＣＤパネル１１（又は１２）を本体１０Ａ内に収納するように指示がなされた場合以外にも、いずれかのＬＣＤパネル１１（又は１２）の電源オン／オフキー１３３（又は１３４）が操作され、電源オフの指示がなされた場合や、黒表示等の画面非表示の指示がなされた場合、他の画面表示を行う指示についても、同様に、残りのＬＣＤパネル１２（又は１１）に画像が縮小されて表示される。ＬＣＤパネル１１（又は１２）に表示される他の画面表示としては、残りのＬＣＤパネル１２（又は１１）に表示される画像に関連する情報や、残りのＬＣＤパネル１２（又は１１）に表示される画像と同一の画像、或いは、残りのＬＣＤパネル１２（又は１１）に表示される画像とは、関係のない画像等である。つまり、複数のＬＣＤパネル１１、１２にユーザに適した画像を表示させることが可能であり、ユーザの自由度が向上し、使い勝手が向上する。
【００４５】
また、本実施形態では、画像を拡大して分割表示するばかりでなく、各ＬＣＤパネル１１、１２に異なる画像を表示させることが可能である。つまり、一方のＬＣＤパネルには、地図等の画像ソースを表示させると共に、他方のＬＣＤパネルには、この画像ソースに関する関連情報を表示させるものである。
図８は、各ＬＣＤパネル１１、１２に異なる画像を表示させる場合のマイクロコンピュータ２５による処理動作を示す処理フローチャートである。
【００４６】
まず、マイクロコンピュータ２５は、第１ＬＣＤパネル１１が収納状態（閉状態）であるか否かを判断する（ステップＳ１１）。第１ＬＣＤパネル１１が収納状態（閉状態）ではない場合（ステップＳ１１；Ｎｏ）、つまり、第１ＬＣＤパネル１１が開状態の場合、マイクロコンピュータ２５は、第１ＬＣＤパネル１１に画像を表示する（ステップＳ１２）。
【００４７】
次に、マイクロコンピュータ２５は、第２ＬＣＤパネル１２がオープン状態（開状態）であるか否かを判断する（ステップＳ１３）。第２ＬＣＤパネル１２がオープン状態ではない場合（ステップＳ１３；Ｎｏ）、つまり、第２ＬＣＤパネル１２が収納状態（閉状態）である場合、マイクロコンピュータ２５は、この処理フローチャートに基づく処理動作を終了する。即ち、第２ＬＣＤパネル１２は、画像の非表示操作がなされたものであり、分割表示される画像よりも縮尺の小さい画像を一つのＬＣＤパネル１１のみで表示させている。
【００４８】
第２ＬＣＤパネル１２がオープン状態の場合（ステップＳ１３；Ｙｅｓ）、マイクロコンピュータ２５は、第２ＬＣＤパネル１２にユーザにより操作可能な操作画面を表示させる（ステップＳ１４）。
具体的には、図９に示すように、ユーザが表示内容を選択できるように、第２ＬＣＤパネル１２の表示面１２Ａには、タッチパネルで構成された複数の選択部１３６、１３７、１３８が形成される。
【００４９】
次に、マイクロコンピュータ２５は、第１ＬＣＤパネル１１に表示されている画像を拡大して表示する選択部１３６が選択されたか否かを判断する（ステップＳ１５）。
【００５０】
この選択部１３６がユーザにより選択された場合（ステップＳ１５；Ｙｅｓ）、マイクロコンピュータ２５は、第１及び第２ＬＣＤパネル１１、１２に画像を拡大して表示し（ステップＳ１６）、処理を終了する。つまり、第１及び第２ＬＣＤパネル１１、１２に一つの画像を分割して表示する。
【００５１】
選択部１３６がユーザにより選択されなかった場合（ステップＳ１５；Ｎｏ）、マイクロコンピュータ２５は、画像ソースを表示する選択部１３７が選択されたか否かを判断する（ステップＳ１７）。つまり、マイクロコンピュータ２５は、第２ＬＣＤパネル１２に、第１ＬＣＤパネル１１に表示されている画像と同一の画像、或いは他の画像を表示させる他画面表示の指示がなされたか否かを判断している。
【００５２】
この選択部１３７がユーザにより選択された場合（ステップＳ１７；Ｙｅｓ）、マイクロコンピュータ２５は、第２ＬＣＤパネル１２に、選択された画像ソースを表示する制御を行う（ステップＳ１８）。
【００５３】
選択部１３７がユーザにより選択されなかった場合（ステップＳ１７；Ｎｏ）、マイクロコンピュータ２５は、第１ＬＣＤパネル１１に表示されている画像に関する関連情報を、第２ＬＣＤパネル１２に表示する選択部１３８が選択されたか否かを判断する（ステップＳ１９）。
【００５４】
この選択部１３８がユーザにより選択された場合（ステップＳ１９；Ｙｅｓ）、マイクロコンピュータ２５は、第２ＬＣＤパネル１２に、関連情報を表示する制御を行う（ステップＳ２０）。選択部１３８がユーザにより選択されなかった場合（ステップＳ１９；Ｎｏ）、マイクロコンピュータ２５は、この処理フローチャートに基づく処理動作を終了する。
【００５５】
次に、ステップＳ１１において、第１ＬＣＤパネル１１が収納状態（閉状態）である場合（ステップＳ１１；Ｙｅｓ）、マイクロコンピュータ２５は、第２ＬＣＤパネル１２が収納状態（閉状態）であるか否かを判断する（ステップＳ２１）。第２ＬＣＤパネル１２が収納状態である場合（ステップＳ２１；Ｙｅｓ）、マイクロコンピュータ２５は、この処理フローチャートに基づく処理動作を終了する。
【００５６】
第２ＬＣＤパネル１２が収納状態（閉状態）ではない場合（ステップＳ２１；Ｎｏ）、つまり、第２ＬＣＤパネル１２が開状態の場合、マイクロコンピュータ２５は、第２ＬＣＤパネル１２に画像を表示する（ステップＳ２２）。
【００５７】
次に、マイクロコンピュータ２５は、第１ＬＣＤパネル１１がオープン状態（開状態）であるか否かを判断する（ステップＳ２３）。第１ＬＣＤパネル１１がオープン状態ではない場合（ステップＳ２３；Ｎｏ）、つまり、第１ＬＣＤパネル１１が収納状態（閉状態）である場合、マイクロコンピュータ２５は、この処理フローチャートに基づく処理動作を終了する。即ち、第１ＬＣＤパネル１１は、画像の非表示操作がなされたものであり、分割表示される画像よりも縮尺の小さい画像を一つのＬＣＤパネル１２のみで表示させている。
【００５８】
第１ＬＣＤパネル１１がオープン状態の場合（ステップＳ２３；Ｙｅｓ）、マイクロコンピュータ２５は、第１ＬＣＤパネル１１にユーザにより操作可能な操作画面を表示させる（ステップＳ２４）。
具体的には、図９に示すように、ユーザが表示内容を選択できるように、第１ＬＣＤパネル１１には、タッチパネルで構成された複数の選択部１３６、１３７、１３８が表示面１１Ａに形成される。
【００５９】
次に、マイクロコンピュータ２５は、第２ＬＣＤパネル１２に表示されている画像を拡大して表示する選択部１３６が選択されたか否かを判断する（ステップＳ２５）。
【００６０】
この選択部１３６がユーザにより選択された場合（ステップＳ２５；Ｙｅｓ）、マイクロコンピュータ２５は、第１及び第２ＬＣＤパネル１１、１２に画像を拡大して表示し（ステップＳ２６）、処理を終了する。つまり、第１及び第２ＬＣＤパネル１１、１２に一つの画像を分割して表示する。
【００６１】
選択部１３６がユーザにより選択されなかった場合（ステップＳ２５；Ｎｏ）、マイクロコンピュータ２５は、画像ソースを表示する選択部１３７が選択されたか否かを判断する（ステップＳ２７）。つまり、マイクロコンピュータ２５は、第１ＬＣＤパネル１１に、第２ＬＣＤパネル１２に表示されている画像と同一の画像、或いは他の画像を表示させる他画面表示の指示がなされたか否かを判断している。
【００６２】
この選択部１３７がユーザにより選択された場合（ステップＳ２７；Ｙｅｓ）、マイクロコンピュータ２５は、第１ＬＣＤパネル１１に、選択された画像ソースを表示する制御を行う（ステップＳ２８）。
【００６３】
選択部１３７がユーザにより選択されなかった場合（ステップＳ２７；Ｎｏ）、マイクロコンピュータ２５は、第２ＬＣＤパネル１２に表示されている画像に関する関連情報を、第１ＬＣＤパネル１１に表示する選択部１３８が選択されたか否かを判断する（ステップＳ２９）。
【００６４】
この選択部１３８がユーザにより選択された場合（ステップＳ２９；Ｙｅｓ）、マイクロコンピュータ２５は、第１ＬＣＤパネル１１に、関連情報を表示する制御を行う（ステップＳ３０）。選択部１３８がユーザにより選択されなかった場合（ステップＳ２９；Ｎｏ）、マイクロコンピュータ２５は、この処理フローチャートに基づく処理動作を終了する。
【００６５】
つまり、二つのＬＣＤパネル１１、１２が開状態の場合、二つのＬＣＤパネル１１、１２で一つの画像を分割表示させたり、この画像を縮小状態のまま、一のＬＣＤパネルに表示させ、他のＬＣＤパネルに他画面表示を行うことが可能となるので、ユーザの選択の自由度が高まり、ユーザの使い勝手が向上するものである。
【００６６】
また、本実施形態では、二つのＬＣＤパネル１１、１２に異なる画像を表示させたり、二つのＬＣＤパネル１１、１２を画面非表示（つまり、黒画面）に設定したり、いずれかのＬＣＤパネル１１、１２を画面非表示（つまり、黒画面）に設定するものである。
【００６７】
図１０は、各ＬＣＤパネル１１、１２を画面表示又は画面非表示にする場合のマイクロコンピュータ２５による処理動作を示す処理フローチャートである。
まず、マイクロコンピュータ２５は、ＬＣＤパネル１１、１２に表示する画像が複数（２つ）あるか否かを判断する（ステップＳ３１）。
【００６８】
ＬＣＤパネル１１、１２に表示する画像が複数（２つ）ある場合（ステップＳ３１；Ｙｅｓ）、マイクロコンピュータ２５は、二つのＬＣＤパネル１１、１２にそれぞれ別々の画像を表示するようにユーザによりタッチパネル等で設定されたか否かを判断する（ステップＳ３２）。
【００６９】
二つのＬＣＤパネル１１、１２にそれぞれ別々の画像を表示するように設定されている場合（ステップＳ３２；Ｙｅｓ）、マイクロコンピュータ２５は、第１及び第２ＬＣＤパネル１１、１２に表示する画像をそれぞれ選択し（ステップＳ３３、Ｓ３４）、第１及び第２ＬＣＤパネル１１、１２に選択した画像を表示させる（ステップＳ３５）。これによって、各ＬＣＤパネル１１、１２に別々の画像が表示されることとなる。
【００７０】
また、ステップＳ３１において、ＬＣＤパネル１１、１２に表示する画像が複数ではない場合（ステップＳ３１；Ｎｏ）、つまり、一つの画像を表示させる場合や表示させる画像がない場合、或いは、ステップＳ３２において、二つのＬＣＤパネル１１、１２に別々の画像を表示するように設定されていない場合（ステップＳ３２；Ｎｏ）、マイクロコンピュータ２５は、二つのＬＣＤパネル１１、１２に同一の画像を表示するようにユーザにより設定されたか否かを判断する（ステップＳ３６）。二つのＬＣＤパネル１１、１２に同一の画像を表示するようにユーザにより設定された場合（ステップＳ３６；Ｙｅｓ）、マイクロコンピュータ２５は、第１及び第２ＬＣＤパネル１１、１２に表示する画像を選択する（ステップＳ３７）。
【００７１】
次に、マイクロコンピュータ２５は、第１及び第２ＬＣＤパネル１１、１２に一つの画像を分割表示するようにユーザにより設定されたか否かを判断する（ステップＳ３８）。分割表示するように設定された場合（ステップＳ３８；Ｙｅｓ）、マイクロコンピュータ２５は、第１及び第２ＬＣＤパネル１１、１２に一つの画像を分割表示させる（ステップＳ３９）。また、分割表示するように設定されていない場合（ステップＳ３８；Ｎｏ）、マイクロコンピュータ２５は、各ＬＣＤパネル１１、１２に同一の画像を表示させる（ステップＳ３５）。つまり、上下のＬＣＤパネル１１、１２に、同一の画像が並べて表示されることとなる。
【００７２】
ステップＳ３６において、二つのＬＣＤパネル１１、１２に同一の画像を表示するようにユーザにより設定されなかった場合（ステップＳ３６；Ｎｏ）、マイクロコンピュータ２５は、第１ＬＣＤパネル１１に画像を表示するようにユーザにより設定されたか否かを判断する（ステップＳ４０）。
【００７３】
第１ＬＣＤパネル１１に画像を表示するようにユーザにより設定された場合（ステップＳ４０；Ｙｅｓ）、マイクロコンピュータ２５は、第１ＬＣＤパネル１１に表示する画像を選択し（ステップＳ４１）、第１ＬＣＤパネル１１に画像を表示させる（ステップＳ４２）。
【００７４】
次に、マイクロコンピュータ２５は、第２ＬＣＤパネル１２には何も表示させず黒画面にする制御を行う（ステップＳ４３）。つまり、第２ＬＣＤパネル１２において画面非表示の指示がなされたこととなる。このような場合、第１ＬＣＤパネル１２には、分割される拡大画面よりも縮尺の小さい画面が表示されていることとなる。
【００７５】
また、ステップＳ４０において、第１ＬＣＤパネル１１に画像を表示するようにユーザにより設定されなかった場合（ステップＳ４０；Ｎｏ）、マイクロコンピュータ２５は、第２ＬＣＤパネル１２に画像を表示するようにユーザにより設定されたか否かを判断する（ステップＳ４４）。第２ＬＣＤパネル１２に画像を表示するようにユーザにより設定された場合（ステップＳ４４；Ｙｅｓ）、マイクロコンピュータ２５は、第２ＬＣＤパネル１２に表示する画像を選択し（ステップＳ４５）、第２ＬＣＤパネル１２に画像を表示させる（ステップＳ４６）。
【００７６】
次に、マイクロコンピュータ２５は、第１ＬＣＤパネル１１には何も表示させず黒画面にする制御を行う（ステップＳ４７）。つまり、第１ＬＣＤパネル１１において画面非表示の指示がなされたこととなる。このような場合、第２ＬＣＤパネル１２には、分割される拡大画面よりも縮尺の小さい画面が表示されていることとなる。
【００７７】
また、ステップＳ４４において、第２ＬＣＤパネル１２に画像を表示するようにユーザにより設定されなかった場合（ステップＳ４４；Ｎｏ）、マイクロコンピュータ２５は、各ＬＣＤパネル１１、１２に何も表示せず、黒画面にする制御を行う（ステップＳ４８）。
【００７８】
つまり、ユーザは、二つのＬＣＤパネル１１、１２で一つの画像を分割表示させたり、二つのＬＣＤパネル１１、１２に別々の画像或いは同一の画像を表示させたり、各ＬＣＤパネル１１、１２を画面非表示にすることができるので、ユーザの選択の自由度が高まり、ユーザの使い勝手が向上するものである。
【００７９】
また、本実施形態では、図１に示すＴＩＴＬ操作キー１３５がユーザにより押下（操作）された場合、各ＬＣＤパネル１１、１２の角度が変更されるものである。
【００８０】
図１１は、各ＬＣＤパネル１１、１２の角度を変更する場合のマイクロコンピュータ２５による処理動作を示す処理フローチャートである。
まず、マイクロコンピュータ２５は、ＴＩＴＬ操作キー１３５がユーザにより操作されたか否かを判断する（ステップＳ５１）。
【００８１】
ＴＩＴＬ操作キー１３５がユーザにより操作されていない場合（ステップＳ５１；Ｎｏ）、マイクロコンピュータ２５は処理を終了する。ＴＩＴＬ操作キー１３５がユーザにより操作された場合（ステップＳ５１；Ｙｅｓ）、マイクロコンピュータ２５は、ＴＩＴＬ操作キー１３５が操作されている間中（つまり、ＴＩＴＬ操作キー１３５の操作量に応じて）、第１駆動部３１（図５）を動作させて、第１ＬＣＤパネル１１を傾動させる。図１２を参照しながら説明すると、ユーザがＴＩＴＬ操作キー１３５の操作を止めた時点で、第１ＬＣＤパネル１１を設定された角度θ１となるように傾動させる（ステップＳ５２）。
【００８２】
次に、マイクロコンピュータ２５は、第２ＬＣＤパネル１２の角度が第１ＬＣＤパネル１１の角度θ１に対して最適な角度θ２か否かを判断する（ステップＳ５３）。
ここで、第１ＬＣＤパネル１１の角度θ１と、第２１ＬＣＤパネル１２の角度θ２とが同一であることが好ましいが、必ずしも同一の角度でなくても構わない。つまり、第１ＬＣＤパネル１１の角度θ１に対して第２ＬＣＤパネル１２が見やすければよい。
【００８３】
本実施形態では、予め第１ＬＣＤパネル１１の角度θ１と、第２ＬＣＤパネル１２の角度θ２と関係を示すテーブル（不図示）が、マイクロコンピュータ２５のＲＯＭ２５Ｂ（図５）に記憶されており、マイクロコンピュータ２５は、第１ＬＣＤパネル１１の角度θ１に対する第２ＬＣＤパネル１２の角度θ２をテーブルを参照して設定している。
【００８４】
第２ＬＣＤパネル１２が第１ＬＣＤパネル１１の角度θ１に対して最適な角度θ２に至っていない場合（ステップＳ５３；Ｎｏ）、マイクロコンピュータ２５は、第２駆動部３２（図５）を動作させて、第２ＬＣＤパネル１２を設定された角度θ２に傾動させ（ステップＳ５４）、第２ＬＣＤパネル１２が第１ＬＣＤパネル１１の角度θ１に対して最適な角度θ２に至った場合、第２ＬＣＤパネル１２を駆動する第２駆動部３２を停止させる。つまり、第１ＬＣＤパネル１１の角度変更量に対応して２ＬＣＤパネル１２の角度を調整している。
【００８５】
このとき、各ＬＣＤパネル１１、１２の表示面１１Ａ、１２Ａが略同一平面上に配置されるように各ＬＣＤパネル１１、１２の相対的位置を調整するのが好ましい。つまり、いずれか一方のＬＣＤパネルを前方（ユーザ側）に水平移動させるか、或いは、いずれか一方のＬＣＤパネルを後方（本体側）に水平移動させる。本実施形態では、第１ＬＣＤパネル１１の下側の第２ＬＣＤパネル１２を水平移動させ、各ＬＣＤパネル１１、１２の表示面１１Ａ、１２Ａが略同一平面上に配置される。
これによって、各ＬＣＤパネル１１、１２が、ユーザの見やすい角度に自由に調整することができるので、ユーザの使い勝手が向上するものである。
【００８６】
また、本実施形態では、一方のＬＣＤパネルに表示させている情報（つまり、画像）と、他方のＬＣＤパネルに表示させている情報とが関連しており、ユーザが操作部１３（図５）を操作することにより、一方のＬＣＤパネルに表示させている情報の変更がなされた場合、マイクロコンピュータ２５は、この変更に対応して他方のＬＣＤパネルに表示させる情報も変更するものである。
【００８７】
図１３は、各ＬＣＤパネル１１、１２に表示させている情報を変更する場合のマイクロコンピュータ２５による処理動作を示す処理フローチャートである。
まず、マイクロコンピュータ２５は、いずれかのＬＣＤパネルの不図示のタッチパネルや操作キー等の操作部１３（図５）が操作されたか否かを判断する（ステップＳ６１）。
【００８８】
操作部１３が操作された場合（ステップＳ６１；Ｙｅｓ）、マイクロコンピュータ２５は、操作部１３が操作された内容が第１ＬＣＤパネル１１に表示されている情報に関係していて変更が必要か否かを判断する（ステップＳ６２）。
【００８９】
変更が必要な場合（ステップＳ６２；Ｙｅｓ）、マイクロコンピュータ２５は、第１ＬＣＤパネル１１の表示内容を変更する制御を行う（ステップＳ６３）。つまり、第１ＬＣＤパネル１１に表示されている画像と、第２ＬＣＤパネル１２に表示されている画像とが関連しており、第２ＬＣＤパネル１２に表示されている画像の変更がなされた場合、第２ＬＣＤパネル１２に表示させる画像の変更に応じて、第１ＬＣＤパネル１１に表示させる画像を変更する。
【００９０】
例えば、各画像が地図であり、第２ＬＣＤパネル１２に表示させている地図の縮尺が変更された場合、マイクロコンピュータ２５は、第１ＬＣＤパネル１１に表示させている地図の縮尺も同様に変更する制御を行う。
【００９１】
ステップＳ６２において、変更の必要がない場合（ステップＳ６２；Ｎｏ）、マイクロコンピュータ２５は、操作部１３が操作された内容が第２ＬＣＤパネル１２に表示されている情報に関係していて変更が必要か否かを判断する（ステップＳ６４）。変更の必要がない場合（ステップＳ６４；Ｎｏ）、マイクロコンピュータ２５は、処理を終了する。
【００９２】
また、変更が必要な場合（ステップＳ６４；Ｙｅｓ）、マイクロコンピュータ２５は、第２ＬＣＤパネル１２の表示内容を変更する制御を行う（ステップＳ６５）。つまり、第１ＬＣＤパネル１１に表示されている画像と、第２ＬＣＤパネル１２に表示されている画像とが関連しており、第１ＬＣＤパネル１１に表示されている画像の変更がなされた場合、第１ＬＣＤパネル１１に表示させる画像の変更に応じて、第２ＬＣＤパネル１２に表示させる画像を変更する。
【００９３】
例えば、各画像が地図であり、第１ＬＣＤパネル１１に表示させている地図の縮尺が変更された場合、マイクロコンピュータ２５は、第２ＬＣＤパネル１２に表示させている地図の縮尺も同様に変更する制御を行う。
【００９４】
これによって、各ＬＣＤパネル１１、１２に表示させている情報が関連しており、各情報を変更したいとき、ユーザは、いずれか一方のＬＣＤパネル１１（又は１２）に表示させている情報の変更をするだけで、他方のＬＣＤパネル１２（又は１１）の情報も変更されるので、両ＬＣＤパネル１１、１２の情報を変更する操作を行う必要がなくなり、ユーザの使い勝手が向上するものである。
【００９５】
以上、一実施形態に基づいて本発明を説明したが、本発明は、これに限定されるものではない。
【００９６】
例えば、上記実施形態では、制御プログラムをＲＯＭ２５Ｂに記憶している場合について説明したが、各種磁気ディスク、光ディスク、メモリカードなどの記録媒体に制御プログラムを予め記録し、これらの記録媒体から読み込み、インストールするように構成することも可能である。また、通信インターフェースを設け、インターネット、ＬＡＮなどのネットワークを介して制御プログラムをダウンロードし、インストールして実行するように構成することも可能である。
【００９７】
また、上記実施形態では、ディスプレイパネルが二つの場合について説明したが、これに限るものではなく、三つ以上のディスプレイパネルを備える場合であっても適用可能である。例えば、一の画像を分割表示している三のディスプレイパネルの内、一のディスプレイパネルが収納された場合、残りのディスプレイパネルが隣接して配置されていれば、残りのディスプレイパネルに縮小された画像が分割して表示されることとなる。
【図面の簡単な説明】
【００９８】
【図１】本実施形態に係る車載情報装置の外観斜視図である
【図２】図１に示すディスプレイパネルを本体内に収納した場合の車載情報装置の概観斜視図である。
【図３】車載情報装置の側面図である。
【図４】車載情報装置の側面図である。
【図５】車載情報装置の構成を示すブロック図である。
【図６】各ディスプレイパネルに表示させる表示内容を示す説明図である。
【図７】マイクロコンピュータの処理動作を示す処理フローチャートである。
【図８】マイクロコンピュータの処理動作を示す処理フローチャートである。
【図９】ディスプレイに表示させる表示内容を示す説明図である。
【図１０】マイクロコンピュータの処理動作を示す処理フローチャートである。
【図１１】マイクロコンピュータの処理動作を示す処理フローチャートである。
【図１２】各ディスプレイパネルの動作を示す説明図である。
【図１３】マイクロコンピュータの処理動作を示す処理フローチャートである。
【符号の説明】
【００９９】
１０  マルチディスプレイ車載情報装置（車載情報装置）
１０Ａ  本体
１１  第１ＬＣＤパネル（ディスプレイパネル）
１１Ａ  表示面
１２  第２ＬＣＤパネル（ディスプレイパネル）
１２Ａ  表示面
１３  操作部
１３１  オープン／クローズキー
１３２  オープン／クローズキー
１３３  電源オン／オフキー
１３４  電源オン／オフキー
１３５  ＴＩＬＴ操作キー
２５  マイクロコンピュータ（表示制御手段）
【図１】
2006133647.tif 000003
【図２】
2006133647.tif 000004
【図３】
2006133647.tif 000005
【図４】
2006133647.tif 000006
【図５】
2006133647.tif 000007
【図６】
2006133647.tif 000008
【図７】
2006133647.tif 000009
【図８】
2006133647.tif 000010
【図９】
2006133647.tif 000011
【図１０】
2006133647.tif 000012
【図１１】
2006133647.tif 000013
【図１２】
2006133647.tif 000014
【図１３】
2006133647.tif 000015